(57)【要約】【課題】  信号が辿ってきた伝送距離によらずＯＳＮＲの値のバラツキを抑制することにより、プロテクション機能の実効性を向上できるようにする。【解決手段】  第１の伝送方向の伝送路から入力されてくる光信号について再生中継を行なう第１再生中継部１３ｂ−１と、第２の伝送方向の伝送路から入力されてくる光信号について再生中継を行なう第２再生中継部１３ｂ−２と、上記の第１および第２再生中継部１３ｂ−１，１３ｂ−２からの信号成分をそれぞれ取り出して、取り出された信号成分のいずれか一方をドロップ信号として選択的に出力するプロテクション処理部１３ｃとをそなえるように構成する。【選択図】        図１
2005286628.tif 000002
【特許請求の範囲】
【請求項１】
互いに異なる２つの経路の伝送路を通じて光伝送されてきた信号のいずれかを受信信号として選択する機能をそなえた中継伝送装置であって、
第１の伝送方向の伝送路から入力されてくる光信号について再生中継を行なう第１再生中継部と、
第２の伝送方向の伝送路から入力されてくる光信号について再生中継を行なう第２再生中継部と、
上記の第１および第２再生中継部からの信号成分をそれぞれ取り出して、取り出された信号成分のいずれか一方をドロップ信号として選択的に出力するプロテクション処理部とをそなえて構成されたことを特徴とする、中継伝送装置。
【請求項２】
該第１，第２再生中継部が、それぞれ、上記第１，第２の伝送方向の伝送路からの光信号をもとにドロップ用の光信号を生成するドロップ用光信号生成部と、該ドロップ用光信号生成部からのドロップ用光信号を中継用に一部を分岐して折り返す折り返し分岐部と、該折り返し分岐部で折り返されたドロップ用光信号をもとに上記再生中継を行なうための光信号を生成する再生中継用光信号生成部と、をそなえ、
かつ、該プロテクション処理部が、上記の第１および第２再生中継部におけるドロップ用光信号生成部からのドロップ用の光信号をそれぞれ取り出す第１および第２光信号成分取出部と、該第１および第２光信号成分取出部で取り出された光信号成分のいずれか一方をドロップ信号として選択する光信号選択スイッチとをそなえて構成されたことを特徴とする、請求項１記載の中継伝送装置。
【請求項３】
該第１，第２再生中継部の該ドロップ用光信号生成部がそれぞれ、上記第１，第２の伝送方向の伝送路からの光信号を電気信号に変換する第１光／電気変換部と、該第１光／電気変換部で変換された電気信号からドロップ用電気信号を生成するドロップ用電気信号生成部と、該ドロップ用電気信号生成部にて生成されたドロップ用電気信号を上記ドロップ用光信号に変換する第１電気／光変換部とをそなえて構成され、
該第１，第２再生中継部の該再生中継用光信号生成部が、該折り返し分岐部で折り返されたドロップ用光信号を電気信号に変換する第２光／電気変換部と、該第２光／電気変換部で変換された電気信号から上記再生中継のための電気信号を生成する再生中継用電気信号生成部と、上記再生中継用電気信号を上記再生中継を行なうための光信号に変換する第２電気／光変換部と、をそなえて構成されたことを特徴とする、請求項２記載の中継伝送装置。
【請求項４】
該第１，第２再生中継部が、それぞれ、上記第１，第２の伝送方向の伝送路からの光信号を電気信号に変換する光／電気変換部と、該光／電気変換部で変換された電気信号から、ドロップ用電気信号および上記再生中継を行なうための電気信号を生成する電気段処理部と、該電気段処理部からの上記再生中継を行なうための電気信号を上記再生中継を行なうための光信号に変換する第１電気／光変換部と、をそなえるとともに、
該プロテクション処理部が、上記の第１および第２再生中継部における電気段処理部から上記ドロップ用電気信号をそれぞれ入力されて、上記入力されたドロップ用電気信号のいずれか一方をドロップ信号として選択的に出力する電気信号選択スイッチと、該電気信号選択スイッチから出力された電気信号をドロップ用光信号に変換する第２電気／光変換部と、をそなえて構成されたことを特徴とする、請求項１記載の中継伝送装置。
【請求項５】
互いに異なる２つの経路の伝送路を通じて光伝送されてきた信号のいずれかを受信信号として選択する機能をそなえた中継伝送装置であって、
第１の伝送方向の伝送路から入力されてくる光信号と、第２の伝送方向の伝送路から入力されてくる光信号のいずれか一方を選択的に出力するプロテクション処理部と、
該プロテクション処理部から出力された光信号をもとに、ドロップ用光信号とともに、再生処理がなされた再生中継用光信号を生成する光信号生成部と、
該再生中継用光信号生成部で生成された上記再生中継用光信号を、上記の第１および第２の伝送方向の伝送路へそれぞれ送出するために２分岐する分岐部と、をそなえて構成されたことを特徴とする、中継伝送装置。
【発明の詳細な説明】
【技術分野】
【０００１】
本発明は、例えばＯＵＰＳＲ（Optical Unidirectional Path Switched Ring）ネットワークのごとく、互いに異なる２つの経路を通じて伝送されてきた信号のいずれかを受信信号として選択する機能をそなえたネットワークにおける中継伝送装置に関するものである。
【背景技術】
【０００２】
近年、通信業界においては、MSO(Multi Service Operator)をはじめとする事業者では、ケーブルテレビの放送のような動画データ等の大容量データの配信に対する需要が増加している。これらのデータ伝送を行なうための基幹のネットワークとして、従来のTDM(Time Division Multiplex)ネットワークに比べて必要な光ファイバ数を減らすことができ運用コストを下げることができる波長多重〔WDM (Wavelength Division Multiplex)〕 ネットワークを構築する事業者が増えている。
【０００３】
ところで、上述のごとき放送形態で大容量データを配信する際には、受信局において、信号配信局からの信号を自身の受信局が収容するネットワークへ配信するためのドロップ（Drop）機能とともに、信号配信局からの信号を隣接する他の受信局へ中継伝送するコンティニュー（Continue）機能とを併せ持つこと〔以下においては、この機能をドロップ・アンド・コンティニュー（Drop and Continue）と呼ぶ〕が求められている。
【０００４】
他方、このような大容量データを配信するネットワークにおいては、大容量データの配信を確実ならしめるとともに通信の信頼性を向上させるべく、ＯＵＰＳＲ方式を導入することも検討されている。ＷＤＭネットワークにおいて、このようなドロップ・アンド・コンティニュー機能を、ＯＵＰＳＲのネットワークトポロジを有して信号に冗長を持たせて使用するにあたっては、例えば図１６に示すようにネットワークを構成することが考えられる。
【０００５】
ここで、この図１６に示すネットワーク１００においては、ヘッド・エンド局としての信号配信局１０１，ドロップ局としての３つの受信局１０２〜１０４が、双方向伝送路１０５を介して相互に接続されて、信号伝送方向として図中右回り（ＲＲ）および左回り（ＬＲ）の方向を持つリングネットワークを構成している。
また、信号配信局１０１には、受信局１０２〜１０４に配信すべき（大容量）データをワイドバンドの光信号として生成するデータ生成部１０１ａと、ワイドバンドの光信号と波長多重用のナローバンドの光信号との間で光波長の相互変換を行なうトランスポンダ部１０１ｂと、トランスポンダ部１０１ｂからのナローバンドの光信号を波長多重して右回りＲＲの伝送路１０５および左回りＬＲの伝送路１０５に送出するＷＤＭ部１０１ｃと、をそなえて構成されている。尚、このＷＤＭ部１０１ｃにおいては、トランスポンダ部１０１ｂからの２組のデータ組は、互いに同一波長チャンネルを使用して、他の波長チャンネルの信号とともに波長多重光信号として伝送されるようになっている。
【０００６】
さらに、受信局１０２〜１０４はそれぞれ、ＷＤＭ部１０２ａ〜１０４ａをそなえるとともに、スイッチ１０２ｂ〜１０４ｂおよびデータ受信部１０２ｃ〜１０４ｃをそなえて構成されている。ＷＤＭ部１０２ａ〜１０４ａは、右回りＲＲおよび左回りＬＲの伝送路１０５からの波長多重光信号を入力されて、上述の大容量データを配信するための波長チャンネルの光信号については必要なドロップ・アンド・コンティニュー処理を行なうものである。又、スイッチ部１０２ｂ〜１０４ｂは、ＷＤＭ部１０２ａ〜１０４ａでドロップされた２つの方向（ＲＲ，ＬＲ）の伝送路１０５からの信号のいずれか一方を、受信信号としてそれぞれのデータ受信部１０６〜１０８へ選択的に出力するものである。
【０００７】
このような構成のＯＵＰＳＲネットワーク１００においては、信号配信局１０１から各受信局１０２〜１０４に対して配信すべき大容量データに着目すると、右回りＲＲおよび左回りＬＲの双方向の伝送路１０５に送信される（大容量データの）信号を、各受信局１０２〜１０４でドロップ・アンド・コンティニューさせる。
すなわち、信号配信局１０１を起点として受信局１０２−受信局１０３−受信局１０４という順番で信号が伝送される経路（右回り経路）では、中継局としての受信局１０２，１０３でドロップ・アンド・コンティニューさせる。又、信号配信局１０１を起点として受信局１０４−受信局１０３−受信局１０２という順番で信号が伝送される経路（左回り経路）では、中継局としての受信局１０４，１０３でドロップ・アンド・コンティニューさせる。
【０００８】
そして、各受信局１０２〜１０４においては、ＷＤＭ部１０２ａ〜１０４ａにおいて上述のごとき右回り及び左回り双方向の経路からのドロップした信号について、スイッチ部１０２ｂ〜１０４ｂでの切り替えによりいずれか一方を選択的に出力する（これをプロテクション機能という）ことにより、信号伝送に際しての冗長を持たせ、品質の良好な側のドロップ信号を出力することができるようになっている。
【０００９】
たとえば、受信局１０３に着目すると、スイッチ部１０３ｂでは、信号配信局１０１から送信された信号は、受信局１０２を経由した右回り経路を通ってきた信号と、受信局１０４を経由した左回り経路を通ってきた信号のうちのいずれか一方をデータ受信部１０７に選択的に出力する。このようにして、ドロップ・アンド・コンティニュー機能を、通信の信頼性を向上させるためにＯＵＰＳＲ構成上で冗長を持たせて使用することが可能である。
【００１０】
なお、本願発明に関連する技術として、以下に示す特許文献１および２に記載された技術がある。
特許文献１には、マルチキャスト機能を有するネットワークにおいて、光信号を分配するノードに、分波された信号光の光強度の一部をドロップポートに出力し、信号光の残りの光強度を必要なレベルに調整して主出力ポートに出力する光回路をそなえていることが記載されている。
【００１１】
また、特許文献２には、波長多重光伝送系の光挿入／分岐リングシステムにおいて、波長分離部で分離された主信号波長成分の中で再生中継が必要な波長成分をビットレート選択型再生中計器でビットレートに応じて再生中継を行なう技術について記載されているが、ＯＵＰＳＲ構成のネットワークにおいてドロップ信号の切り替えを行なう技術については記載されていない。
【特許文献１】特開２０００−８９２６３号公報
【特許文献２】特開平１０−３０３８６３号公報
【発明の開示】
【発明が解決しようとする課題】
【００１２】
しかしながら、上述の図１６に示すＯＵＰＳＲネットワーク１００のごとく、異なる経路を通じて伝送されてきた複数の信号のいずれかを受信信号として選択する機能をそなえたネットワークの各受信局においては、同一の信号でも辿ってきた経路に応じて伝送距離が異なるので、この経路によって信号のＯＳＮＲ(Optical Signal Noise Ratio)の値にもバラツキが生じる。即ち、伝送距離が長くなってくると、通常多段の増幅中継が必要となり、信号のＯＮＳＲが劣化するのである。このため、ＯＵＰＳＲによるプロテクション機能の実効性を向上させることができないという課題がある。
【００１３】
たとえば、上述の受信局１０２においては、信号配信局１０１から右回り経路を通じて直接受信したドロップ信号と、受信局１０４，１０３を経由する左回り経路を通じて受信したドロップ信号とでは、伝送路長に起因して左回り経路を通じたドロップ信号の方が上述のＯＳＮＲが劣化している場合が多くなることが考えられるため、このようなＯＵＰＳＲネットワークによる信号の冗長伝送の実効性を向上させることができないのである。
【００１４】
本発明は、このような課題に鑑み創案されたもので、互いに異なる２つの経路を通じて伝送されてきた信号のいずれかを受信信号として選択する機能をそなえたネットワークにおいて、信号が辿ってきた伝送距離によらずＯＳＮＲの値のバラツキを抑制することにより、プロテクション機能の実効性を向上させることができるようにした、中継伝送装置を提供することを目的とする。
【課題を解決するための手段】
【００１５】
このため、本発明の中継伝送装置は、互いに異なる２つの経路の伝送路を通じて光伝送されてきた信号のいずれかを受信信号として選択する機能をそなえた中継伝送装置であって、第１の伝送方向の伝送路から入力されてくる光信号について再生中継を行なう第１再生中継部と、第２の伝送方向の伝送路から入力されてくる光信号について再生中継を行なう第２再生中継部と、上記の第１および第２再生中継部からの信号成分をそれぞれ取り出して、取り出された信号成分のいずれか一方をドロップ信号として選択的に出力するプロテクション処理部とをそなえて構成されたことを特徴としている。
【００１６】
また、上述の中継伝送装置においては、好ましくは、該第１，第２再生中継部が、それぞれ、上記第１，第２の伝送方向の伝送路からの光信号をもとにドロップ用の光信号を生成するドロップ用光信号生成部と、該ドロップ用光信号生成部からのドロップ用光信号を中継用に一部を分岐して折り返す折り返し分岐部と、該折り返し分岐部で折り返されたドロップ用光信号をもとに上記再生中継を行なうための光信号を生成する再生中継用光信号生成部と、をそなえ、かつ、該プロテクション処理部が、上記の第１および第２再生中継部におけるドロップ用光信号生成部からのドロップ用の光信号をそれぞれ取り出す第１および第２光信号成分取出部と、該第１および第２光信号成分取出部で取り出された光信号成分のいずれか一方をドロップ信号として選択する光信号選択スイッチとをそなえて構成する。
【００１７】
さらに、該第１，第２再生中継部の該ドロップ用光信号生成部がそれぞれ、上記第１，第２の伝送方向の伝送路からの光信号を電気信号に変換する第１光／電気変換部と、該第１光／電気変換部で変換された電気信号からドロップ用電気信号を生成するドロップ用電気信号生成部と、該ドロップ用電気信号生成部にて生成されたドロップ用電気信号を上記ドロップ用光信号に変換する第１電気／光変換部とをそなえて構成され、該第１，第２再生中継部の該再生中継用光信号生成部が、該折り返し分岐部で折り返されたドロップ用光信号を電気信号に変換する第２光／電気変換部と、該第２光／電気変換部で変換された電気信号から上記再生中継のための電気信号を生成する再生中継用電気信号生成部と、上記再生中継用電気信号を上記再生中継を行なうための光信号に変換する第２電気／光変換部と、をそなえて構成することもできる。
【００１８】
また、上述の中継伝送装置においては、該第１，第２再生中継部が、それぞれ、上記第１，第２の伝送方向の伝送路からの光信号を電気信号に変換する光／電気変換部と、該光／電気変換部で変換された電気信号から、ドロップ用電気信号および上記再生中継を行なうための電気信号を生成する電気段処理部と、該電気段処理部からの上記再生中継を行なうための電気信号を上記再生中継を行なうための光信号に変換する第１電気／光変換部と、をそなえるとともに、該プロテクション処理部が、上記の第１および第２再生中継部における電気段処理部から上記ドロップ用電気信号をそれぞれ入力されて、上記入力されたドロップ用電気信号のいずれか一方をドロップ信号として選択的に出力する電気信号選択スイッチと、該電気信号選択スイッチから出力された電気信号をドロップ用光信号に変換する第２電気／光変換部と、をそなえて構成することとしてもよい。
【００１９】
さらに、本発明の中継伝送装置は、互いに異なる２つの経路の伝送路を通じて光伝送されてきた信号のいずれかを受信信号として選択する機能をそなえた中継伝送装置であって、第１の伝送方向の伝送路から入力されてくる光信号と、第２の伝送方向の伝送路から入力されてくる光信号のいずれか一方を選択的に出力するプロテクション処理部と、該プロテクション処理部から出力された光信号をもとに、ドロップ用光信号とともに、再生処理がなされた再生中継用光信号を生成する光信号生成部と、該再生中継用光信号生成部で生成された上記再生中継用光信号を、上記の第１および第２の伝送方向の伝送路へそれぞれ送出するために２分岐する分岐部をそなえて構成されたことを特徴としている。
【発明の効果】
【００２０】
このように、本発明によれば、第１および第２再生中継部において、２つの経路の伝送路を通じて光伝送された信号について再生処理を行ないながら、これら２つの経路の伝送路を通じて光伝送された信号のいずれか一方をプロテクション処理によりドロップさせることができるので、ネットワークにおいて、信号が辿ってきた伝送距離によるＯＳＮＲの値のバラツキを抑制することにより、プロテクション機能の実効性を向上させることができる利点がある。
【００２１】
また、本発明によれば、プロテクション処理部と、光信号生成部とにより、２つの経路の伝送路を通じて光伝送された信号についてプロテクション処理によっていずれか一方を選択してから、ドロップ信号および再生処理された再生中継用光信号を生成することができるので、上述の場合と同様の利点があるほか、ネットワーク上の各中継伝送装置において信号を再生中継することができるので、伝送可能なリング長がより長くさせることができ、構築しうるネットワーク規模を大きくさせることができるほか、再生中継部としては単一の再生中継部で足りるため、光電変換のための部品等、装置の部品点数を削減し、装置製造コストを大幅に削減させることができる利点もある。
【発明を実施するための最良の形態】
【００２２】
以下、図面を参照することにより、本発明の実施の形態について説明する。
〔Ａ〕第１実施形態の説明
図１は本発明の第１実施形態にかかる中継伝送装置が適用されたＯＵＰＳＲネットワークについて示す図である。ＯＵＰＳＲネットワーク１０は、複数の波長チャンネルの信号を多重して伝送しうる波長多重伝送ネットワークをなすものであるが、図１に示すＯＵＰＳＲネットワーク１０としては、特に局１１を信号配信局とし局１２〜１４を受信中継局として動作させる波長チャンネルに着目したものである。
【００２３】
すなわち、図１に示すＯＵＰＳＲネットワーク１０においては、ヘッド・エンド局としての信号配信局１１，ドロップ局としての３つの受信中継局１２〜１４が、双方向伝送路１５を介して相互に接続されて、信号伝送方向として図中右回り（時計回り，ＲＲ）および左回り（反時計回り，ＬＲ）の方向を持つリングネットワークを構成している。
また、信号配信局１１は、図１６に示す信号配信局１０１におけるもの（符号１０１ａ〜１０１ｃ）と基本的に同様のデータ生成部１１ａ，トランスポンダ部１１ｂおよびＷＤＭ部１１ｃをそなえて構成されているが、受信中継局１２〜１４は、前述の図１６に示す受信局１０２〜１０４と異なり、中継伝送装置として本願発明の特徴的な構成をそなえている。
【００２４】
ここで、受信中継局１２〜１４はいずれも、前述の図１６に示すもの（符号１０２〜１０４参照）に比して、信号配信局１１からの信号について、右回りＲＲ又は左回りＬＲの伝送路１５を通じて再生中継を行なう中継伝送装置を構成するものである点が異なっている。
図２は、上述の受信中継局１２〜１４の構成について受信中継局１３に着目して詳細に示すブロック図である。尚、図中実線の矢印は光信号の伝搬方向を表し、点線の矢印は電気信号の伝搬方向を表している。
【００２５】
すなわち、受信中継局１２〜１４においては、前述の図１６に示すもの（符号１０２ａ〜１０４ａ）と機能の異なるＷＤＭ部１２ａ〜１４ａと、本願発明の特徴的な構成として、トランスポンダ部１２ｂ〜１４ｂ，プロテクション処理部１２ｃ〜１４ｃおよび制御部１２ｅ〜１４ｅをそなえ、かつ前述の図１６の場合と同様のデータ受信部１２ｄ〜１４ｄをそなえて構成されている。
【００２６】
ここで、ＷＤＭ部１２ａ〜１４ａは、右回りの伝送路１５ＲＲおよび左回りの伝送路１５ＬＲからの波長多重光信号を入力されて、この波長多重光信号について波長分離して各波長成分の光信号（波長分離光信号）とするとともに、上述の信号配信局１１からの大容量データを配信するための波長チャンネルの光信号については本実施形態にかかるトランスポンダ部１２ｂ〜１４ｂへ出力する（ドロップする）ようになっている。
【００２７】
そして、ＷＤＭ部１２ａ〜１４ａにおいては、伝送路１５を通じて中継すべき光信号を、後述のトランスポンダ部１２ｂ〜１４ｂで再生処理がなされた後に、波長多重信号を構成するための波長チャンネルをもって入力されて、他の波長チャンネルの信号とともに波長多重処理を行なって（コンティニュー処理を行なって）、伝送路１５に送出するようになっている。
【００２８】
また、受信中継局１２〜１４の各トランスポンダ部１２ｂ〜１４ｂは、第１の伝送方向である右回りＲＲの伝送路１５から入力されてくる光信号についてドロップ処理を行なうとともに再生中継を行なう第１再生中継部（受信中継局１３の符号１３ｂ−１参照）としての機能と、第２の伝送方向である左回りＬＲの伝送路１５から入力されてくる光信号についてドロップ処理を行なうとともに再生中継を行なう第２再生中継部（受信中継局１３の符号１３ｂ−２参照）としての機能をそなえている。
【００２９】
なお、図１中において、受信中継局１２のトランスポンダ部１２ｂにおいても、上述の第１再生中継部１３ｂ−１と同様の機能をそなえることができるが、受信中継局１２は左回り伝送路１５ＬＲにおける末端の受信中継局であり、上述の第２再生中継部１３ｂ−２と同様の再生中継機能については省略することができる。又、受信中継局１４のトランスポンダ部１４ｂにおいては、上述の第２再生中継部１３ｂ−２と同様の機能をそなえることができるが、受信中継局１４は右回り伝送路１５ＲＲにおける末端の受信中継局であり、上述の第１再生中継部１３ｂ−１と同様の再生中継機能については省略することができる。
【００３０】
また、プロテクション処理部１２ｃ〜１４ｃはそれぞれ、ＯＵＰＳＲのプロテクション機能に従って、ＷＤＭ部１２ａ〜１４ａでドロップされた２つの方向（ＲＲ，ＬＲ）の伝送路１５からの信号のいずれか一方を、受信信号としてそれぞれのデータ受信部１２ｄ〜１４ｄへ選択的に出力するものである。受信中継局１３に着目すると、プロテクション処理部１３ｃは、第１および第２再生中継部１３ｂ−１，１３ｂ−２からの信号成分をそれぞれ取り出して、取り出した信号成分のいずれか一方をドロップ信号として選択的に出力するものである。
【００３１】
受信中継局１３の構成に着目すると、第１再生中継部１３ｂ−１は、第１の伝送方向である右回り伝送路１５ＲＲからの光信号をもとにドロップ用の光信号を生成するドロップ用光信号生成部２８と、ドロップ用光信号生成部２８からのドロップ用光信号を中継用に一部を分岐して折り返す折り返し分岐部としてのカプラ２７と、折り返し分岐部２７で折り返されたドロップ用光信号をもとに再生中継を行なうための光信号を生成する再生中継用光信号生成部２９と、をそなえて構成されている。
【００３２】
また、第２再生中継部１３ｂ−２は、第２の伝送方向である左回り伝送路１５ＬＲからの光信号をもとにドロップ用の光信号を生成するドロップ用光信号生成部３８と、ドロップ用光信号生成部３８からのドロップ用光信号を中継用に一部を分岐して折り返す折り返し分岐部としてのカプラ３７と、折り返し分岐部３７で折り返されたドロップ用光信号をもとに再生中継を行なうための光信号を生成する再生中継用光信号生成部３９と、をそなえて構成されている。
【００３３】
すなわち、ドロップ用光信号生成部２８，３８においては、伝送路１５ＲＲ，１５ＬＲからの光信号として、ＷＤＭ部１３ａから比較的急峻で幅の狭い波長スペクトラムを有する波長分離信号を入力されて、この光信号について必要な電気信号処理を施して、この信号処理の施された電気信号を、比較的なだらかで幅の広い波長スペクトラムを有する光信号に（ドロップ用の光信号として）変換するようになっている。
【００３４】
また、再生中継用光信号生成部２９，３９においては、カプラ２７，３７からの上述のドロップ用の光信号を電気信号に変換するとともに、この電気信号について再生中継処理のための信号処理を施した後に、再生中継処理後の電気信号を、ＷＤＭ部１３ａを通じた伝送路１５ＲＲ，１５ＬＲへの光信号として、比較的急峻で幅の狭い波長スペクトラムを有する光信号に（コンティニュー用の光信号として）変換する。
【００３５】
さらに、プロテクション処理部１３ｃは、第１および第２再生中継部１３ｂ−１，１３ｂ−２におけるドロップ用光信号生成部２８からのドロップ用の光信号をそれぞれ取り出す第１および第２光信号成分取出部としてのカプラ２７，３７をそなえるとともに、光信号選択スイッチ４０をそなえて構成されている。換言すれば、上述の第１再生中継部１３ｂ−１の折り返し用分岐部としての機能と、プロテクション処理部１３ｃの第１光信号取出部としての機能とを、カプラ２７により共用させるとともに、第２再生中継部１３ｂ−２の折り返し用分岐部としての機能と、プロテクション処理部１３ｃの第２光信号取出部としての機能とをカプラ３７により共用させることができるようになっている。
【００３６】
また、プロテクション処理部１３ｃの光信号選択スイッチ４０は、後述する制御部１３ｅからの切り替え制御を受けて、第１および第２光信号成分取出部としてのカプラ２７，３７で取り出された光信号成分のいずれか一方をドロップ信号として選択するものである。
さらに、上述の第１再生中継部１３ｂ−１のドロップ用光信号生成部２８は、右回り伝送路１５ＲＲからの光信号を電気信号に変換する第１光／電気変換部（Ｏ／Ｅ）２１と、第１光／電気変換部２１で変換された電気信号からドロップ用電気信号を生成するドロップ用電気信号生成部２２と、ドロップ用電気信号生成部２２にて生成されたドロップ用電気信号を上述のドロップ用光信号に変換する第１電気／光変換部（Ｅ／Ｏ）２３とをそなえて構成されている。
【００３７】
同様に、上述の第２再生中継部１３ｂ−２のドロップ用光信号生成部３８は、左周り伝送路１５からの光信号を電気信号に変換する第１光／電気変換部（Ｏ／Ｅ）３１と、第１光／電気変換部３１で変換された電気信号からドロップ用電気信号を生成するドロップ用電気信号生成部３２と、ドロップ用電気信号生成部３２にて生成されたドロップ用電気信号を上述のドロップ用光信号に変換する第１電気／光変換部（Ｅ／Ｏ）３３とをそなえて構成されている。
【００３８】
また、第１再生中継部１３ｂ−１の再生中継用光信号生成部２９は、折り返し分岐部２７で折り返されたドロップ用光信号を電気信号に変換する第２光／電気変換部（Ｏ／Ｅ）２４と、第２光／電気変換部２４で変換された電気信号から再生中継のための電気信号を生成する再生中継用電気信号生成部２５と、この再生中継用電気信号を上記再生中継を行なうための光信号に変換する第２電気／光変換部（Ｅ／Ｏ）２６と、をそなえて構成されている。
【００３９】
同様に、第２再生中継部１３ｂ−２の再生中継用光信号生成部３９が、折り返し分岐部３９で折り返されたドロップ用光信号を電気信号に変換する第２光／電気変換部（Ｏ／Ｅ）３４と、第２光／電気変換部３４で変換された電気信号から再生中継のための電気信号を生成する再生中継用電気信号生成部３５と、この再生中継用電気信号を上述の再生中継を行なうための光信号に変換する第２電気／光変換部（Ｅ／Ｏ）３６と、をそなえて構成されている。
【００４０】
さらに、制御部１３ｅは、右回り伝送路１５ＲＲおよび左回り伝送路１５ＬＲから入力されてくる光信号についての劣化度合いに応じて、第１および第２再生中継部１３ｂ−１，１３ｂ−２からの信号成分のいずれか一方をドロップ信号として選択的に出力すべく、プロテクション処理部１３ｃのスイッチ４０を制御するようになっている。
具体的には、受信中継局１３の制御部１３ｃに着目すると、第１再生中継部１３ｂ−１のドロップ用電気信号生成部２２からの信号をもとに右回り伝送路１５ＲＲから入力されてくる光信号の劣化度合いを認識するとともに、第２再生中継部１３ｂ−２のドロップ用電気信号生成部３２からの信号をもとに左回り伝送路１５ＬＲから入力されてくる光信号の劣化度合いを認識して、劣化度合いが比較的少ない側の信号を選択的に出力（ドロップ）すべくスイッチ４０を制御する。
【００４１】
上述のドロップ用電気信号生成部２２，３２および再生中継用電気信号生成部２５，３５は、ともに多重フレームのオーバヘッド処理などの、物理レイヤよりも上位レイヤでの信号処理を行なう機能をそなえているが、ドロップ用電気信号生成部２２，３２においては、特に信号劣化情報としてオーバヘッドに書き込まれた内容を制御部１３ｅに通知することができるようになっている。
【００４２】
上述の構成による、本発明の第１実施形態にかかる受信中継局（中継伝送装置）１２〜１４が適用されたＯＵＰＳＲネットワーク１０の動作について、図１を用いて以下に説明する。
まず、信号配信局１１においては、大容量データの信号を、受信中継局１２〜１４に対して配信する。このとき、信号配信局１１から各受信中継局１２〜１４に対して配信すべき大容量データをなす信号は、右回り伝送路１５ＲＲおよび左回り伝送路１５ＬＲの双方向に送信される。
【００４３】
このとき、信号配信局１１を起点として右回り伝送路１５ＲＲを辿り、受信中継局１２−受信中継局１３−受信中継局１４という順番で信号が伝送される経路（右回り経路）では、中継局としての受信中継局１２，１３で信号についてドロップ・アンド・コンティニュー処理を信号再生処理とともに行なう一方、末端局である受信中継局１４はドロップする。
【００４４】
また、信号配信局１１を起点として左回り伝送路１５ＬＲを辿り、受信中継局１４−受信中継局１３−受信中継局１２という順番で信号が伝送される経路（左回り経路）では、中継局としての受信中継局１４，１３でドロップ・アンド・コンティニュー処理を信号再生処理とともに行なう一方、末端局である受信中継局１２でドロップする。
このとき、例えば中継局としての受信中継局１３においては、右回り伝送路１５ＲＲと左回り伝送路１５ＬＲを伝送してきた信号を別々の再生中継部１３ｂ−１，１３ｂ−２を通すことにより信号再生（Regenerate）させると共に、信号折り返し部としてのカプラ２７，３７により、一部の光信号成分を折り返すことでコンティニューさせる。
【００４５】
なお、コンティニューした信号は再度再生中継部１３ｂ−１，１３ｂ−２およびＷＤＭ部１３ａを通って伝送路１５側に出力され、リング経路における後段の受信中継局に伝送される。具体的には、右回り伝送路１５ＲＲを通じて受信中継局１２側から伝送されてきた信号についてコンティニューした信号は、第１再生中継部１３ｂ−１およびＷＤＭ部１３ａを通って右回り伝送路１５ＲＲを通じて受信中継局１４に送出される。又、左回り伝送路１５ＬＲを通じて受信中継局１４側から伝送されてきた信号についてコンティニューした信号は、第２再生中継部１３ｂ−２およびＷＤＭ部１３ａを通って左回り伝送路１５ＬＲを通じて受信中継局１２に送出される。
【００４６】
また、図２に示すカプラ２７，３７で分岐した残りの光信号成分については、ドロップ信号としてプロテクション処理のためのスイッチ４０に入力され、いずれか一方が選択的にデータ受信部１３ｄへ出力される。
その際、制御部１３ｅにおいて、第１，第２再生中継部１３ｂ−１，１３ｂ−２のドロップ用電気信号生成部２２，３２からの、受信信号の劣化情報をもとにして、プロテクション処理部１３ｃのスイッチ４０を動作させることにより、双方向からのドロップ信号のうちから一方の信号を、データ受信部１３ｄへ選択的に出力する。
【００４７】
このように、本発明の第１実施形態にかかる中継伝送装置によれば、第１および第２再生中継部において、２つの経路の伝送路１５ＲＲ，１５ＬＲを通じて光伝送された信号について再生処理を行ないながら、これら２つの経路の伝送路１５ＲＲ，１５ＬＲを通じて光伝送された信号のいずれか一方をプロテクション処理によりドロップさせることができるので、ＯＵＰＳＲネットワーク１０において、信号が辿ってきた伝送距離によるＯＳＮＲの値のバラツキを抑制することにより、ＯＵＰＳＲによるプロテクション機能の実効性を向上させることができる利点がある。
【００４８】
なお、上述のトランスポンダ部１２ｂ〜１４ｂとしての機能については、ネットワーク１０に接続された受信中継局１２〜１４の全てがそなえている必要はなく、例えば受信中継局１３においてのみトランスポンダ部１３ｂとしての機能をそなえ、他の受信中継局１２，１４においては、前述の図１６におけるもの（符号１０２，１０４）と同様に構成することとしてもよい。
【００４９】
また、上述の第１実施形態においては、ＯＵＰＳＲネットワーク１０を構成する中継伝送装置として３つの受信中継局１２〜１４をそなえているが、本発明によれば、これ以外の台数の中継伝送装置をそなえて、マルチキャスト送信を行なうＯＵＰＳＲネットワークを構成することとしてもよい。
さらに、上述の折り返し分岐部２７，３７は、プロテクション処理部１３ｃとしてのパッケージにそなえられるようにしているが、本発明によれば、トランスポンダ部１３ｂ−１，１３ｂ−２のパッケージ内にそなえるように構成することとしてもよい。
【００５０】
また、上述の第１実施形態における第１再生中継部１３ｂ−１，第２再生中継部１３ｂ−２においては、電気信号に一旦変換するようになっているが、本発明によればこれに限定されず、例えば文献「尾中寛他，超高速フォトニックスネットワーク，FUJITSU vol.54，No.4 pp.314〜322(2003.7)」に記載されているような光３Ｒ[Reamplification（振幅増幅），Retiming（タイミング再生）およびResharping（波形整形）]再生器により構成することとしてもよい。更には、第１再生中継部１３ｂ−１，第２再生中継部１３ｂ−２における各ドロップ用光信号生成部２８，３８や、各再生中継用光信号生成部２９，３９を、個別の３Ｒ再生器とすることとしてもよい。
【００５１】
〔Ａ１〕第１実施形態の変形例の説明
図３は本発明の第１実施形態の変形例にかかる中継伝送装置１３Ａの要部を示すブロック図である。この図３に示す中継伝送装置１３Ａは、前述の第１実施形態における中継伝送装置１３のトランスポンダ部１３ｂおよびプロテクション処理部１３ｃと異なる構成を有するトランスポンダ部１３Ａｂおよびプロテクション部１３Ａｃをそなえている。尚、トランスポンダ部１３Ａｂおよびプロテクション部１３Ａｃ以外の構成については前述の第１実施形態の場合と基本的に同様であり、図３中、図２と同一の符号はほぼ同様の部分を示している。
【００５２】
ここで、この図３に示す中継伝送装置１３Ａにおいて、トランスポンダ部１３Ａｂは、前述の第１実施形態の場合と同様、第１再生中継部１３Ａｂ−１および第２再生中継部１３Ａｂ−２をそなえているが、これらの第１，第２再生中継部１３Ａｂ−１，１３Ａｂ−２は、前述の第１実施形態の場合と異なり、ドロップ用の電気信号をプロテクション処理部１３Ａｃに渡すようになっている。
【００５３】
このため、第１再生中継部１３Ａｂ−１は、第１の伝送方向である右回り伝送路１５ＲＲからの光信号を電気信号に変換する光／電気変換部（Ｏ／Ｅ）２１と、光／電気変換部２１で変換された電気信号から、ドロップ用電気信号および再生中継を行なうための電気信号を生成する電気段処理部２２Ａと、電気段処理部２２Ａからの再生中継を行なうための電気信号を、再生中継を行なうための光信号に変換する第１電気／光変換部（Ｅ／Ｏ）２６と、をそなえて構成されている。
【００５４】
同様に、第２再生中継部１３Ａｂ−２は、第２の伝送方向である右回り伝送路１５ＬＲからの光信号を電気信号に変換する光／電気変換部（Ｏ／Ｅ）３１と、光／電気変換部３１で変換された電気信号から、ドロップ用電気信号および再生中継を行なうための電気信号を生成する電気段処理部３２Ａと、電気段処理部３２Ａからの再生中継を行なうための電気信号を、再生中継を行なうための光信号に変換する第１電気／光変換部（Ｅ／Ｏ）３６と、をそなえて構成されている。
【００５５】
そして、プロテクション処理部１３Ａｃは、第１，第２再生中継部１３Ａｂ−１，１３Ａｂ−２における電気段処理部２２Ａ，３２Ａからドロップ用電気信号をそれぞれ入力されて、入力されたドロップ用電気信号のいずれか一方をドロップ信号として選択的に出力する電気信号選択スイッチ４０Ａと、電気信号選択スイッチ４０Ａから出力された電気信号をドロップ用光信号に変換する第２電気／光変換部（Ｅ／Ｏ）４１と、をそなえて構成されている。
【００５６】
なお、制御部１３ｅにおいては、第１再生中継部１３Ａｂ−１の電気段処理部２２Ａからの信号をもとに右回り伝送路１５ＲＲから入力されてくる光信号の劣化度合いを認識するとともに、第２再生中継部１３Ａｂ−２の電気段処理部３２Ａからの信号をもとに左回り伝送路１５ＬＲから入力されてくる光信号の劣化度合いを認識して、劣化度合いが比較的少ない側の信号を選択的に出力（ドロップ）すべくスイッチ４０Ａを制御するようになっている。
【００５７】
このような構成の中継伝送装置１３Ａにおいても、第１再生中継部１３Ａｂ−１に、ＷＤＭ部１３ａを通じて右回り伝送路１５ＲＲからの光信号が入力されるとともに、第２再生中継部１３Ａｂ−２に、ＷＤＭ部１３ａを通じて左回り伝送路１５ＬＲからの光信号が入力される。
そして、第１，第２再生中継部１３Ａｂ−１，１３Ａｂ−２それぞれの光／電気変換部２１，３１において、入力された光信号が電気信号に変換されて、電気段処理部２２Ａ，３２Ａにおいて、伝送フレームのオーバヘッド処理等の物理層よりも上位レイヤでの信号処理が行なわれて、ドロップ用電気信号および再生中継用の電気信号をそれぞれ生成する。更に、電気段処理部２２Ａ，３２Ａにおいては、オーバヘッド等に書き込まれている信号劣化情報を制御部１３ｅに渡す。
【００５８】
さらに、制御部１３ｅにおいては、電気段処理部２２Ａ，３２Ａからの信号劣化情報をもとに、右回り伝送路１５ＲＲおよび左回り伝送路１５ＬＲを通じて伝送されてくる光信号の劣化度合いを認識して、プロテクション処理部１３Ａｃのスイッチ４０Ａを切り替え制御する。
すなわち、制御部１３ｅにおいてスイッチ４０Ａを制御することにより、第１，第２再生中継部１３Ａｂ−１，１３Ａｂ−２の電気段処理部２２Ａ，３２Ａから伝送された信号のうち、信号劣化度合いが少ない側の信号を選択的に出力して、プロテクション動作を実現する。尚、スイッチ４０Ａから出力された電気信号は第２電気／光変換部４１で比較的幅の広い波長スペクトラムを有する光信号に変換されて、データ受信部１３ｄに出力される。
【００５９】
したがって、本変形例によれば、前述の第１実施形態の場合と同様の利点があるほか、前述の第１実施形態の場合に比して、電気／光変換部２３，３３としての機能を単一の電気光変換部４１で実現し、光／電気変換部２４，３４としての機能を不要とすることができるので、光電変換のための部品点数を削減することができ、装置規模を縮小させ、製造のためのコストを削減することができる利点もある。
【００６０】
なお、本変形例においては、図１に示す受信中継局１３の構成の変形例として説明しているが、本発明によれば、受信中継局１３以外の受信中継局１２，１４において同様の構成をそなえることとしてもよい。
〔Ｂ〕第２実施形態の説明
図４は本発明の第２実施形態にかかる中継伝送装置が適用されたＯＵＰＳＲネットワークについて示す図であり、この図４に示すＯＵＰＳＲネットワーク１０Ｂは、前述の図１に示すもの（符号１０参照）とは異なる構成の中継伝送装置としての受信中継局１２Ｂ〜１４Ｂをそなえている。ＯＵＰＳＲネットワーク１０Ｂにおける受信中継局１２Ｂ〜１４Ｂ以外の構成については前述の第１実施形態の場合とほぼ同様であり、図４中、図１と同一の符号は、ほぼ同様の部分を示している。
【００６１】
すなわち、受信中継局１２Ｂ〜１４Ｂは、前述の第１実施形態の場合と同様に、ドロップ・アンド・コンティニュー機能をそなえ、且つドロップ信号についてはＯＵＰＳＲによるプロテクション処理に従って、互いに異なる２つの経路の伝送路１５ＲＲ，１５ＬＲを通じて光伝送されてきた信号のいずれかを受信信号として選択する機能をそなえている。
なお、受信中継局１２Ｂ〜１４Ｂの主信号処理系の構成に着目すると、これらの受信中継局１２Ｂ〜１４Ｂは、前述の第１実施形態におけるものと同様のＷＤＭ１２ａ〜１４ａおよびデータ受信部１２ｄ〜１４ｄをそなえるとともに、第２実施形態における特徴的な構成を有するトランスポンダ部１２Ｂｂ〜１４Ｂｂおよび折り返し分岐部１２Ｂｃ〜１４Ｂｃをそなえて構成されている。
【００６２】
また、受信中継局１２Ｂ〜１４Ｂは、特に受信中継局１３Ｂに着目すれば、例えば図５に示すように、主信号処理系５０−１および制御信号処理系５０−２をそなえるとともに、分岐部５１ＲＲ，５１ＬＲおよび合波部５２ＲＲ，５２ＬＲをそなえて構成されている。
ここで、分岐部５１ＲＲは、右回り伝送路１５ＲＲを通じて伝送されてきた波長多重光信号について２分岐し、一方については主信号処理系５０−１をなすＷＤＭ部１３ａに、他方については制御信号処理系５０−２に出力するようになっている。又、分岐部５１ＬＲは、左回り伝送路１５ＬＲを通じて伝送されてきた波長多重光信号について２分岐し、一方については主信号処理系５０−１をなすＷＤＭ部１３ａに、他方については制御信号処理系５０−２に出力するようになっている。
【００６３】
さらに、合波部５２ＲＲは、ＷＤＭ部１３ａからの右回り伝送路１５ＲＲを通じて伝送すべき波長多重光信号を制御信号処理系５０−２からの制御チャンネルの光信号と合波し、当該右回り伝送路１５ＲＲへ送出するものである。又、合波部５２ＬＲは、ＷＤＭ部１３ａからの左回り伝送路１５ＬＲを通じて伝送すべき波長多重光信号を制御信号処理系５０−２からの制御チャンネルの光信号と合波し、当該右回り伝送路１５ＲＲへ送出するものである。
【００６４】
また、主信号処理系５０−１をなすトランスポンダ部１３Ｂｂは、光スイッチ６１，第１光／電気変換部６２，ドロップ用電気信号生成部６３，第１電気／光変換部６４，第２光／電気変換部６５，再生中継用電気信号生成部６６，第２電気／光変換部６７，分岐部６８およびフォトダイオード（ＰＤ）６９−１，６９−２をそなえて構成されている。
さらに、トランスポンダ部１３Ｂｂの光スイッチ６１は、後述の制御信号処理系５０−２をなす制御部１３Ｂｅからの制御信号をもとに、ＷＤＭ部１３ａからの入力される右回り伝送路１５ＲＲからの光信号および左回り伝送路１５ＬＲからの光信号のいずれか一方を選択的に出力するものである。換言すれば、スイッチ６１は、右回り伝送路１５ＲＲから入力されてくる光信号と、左回り伝送路１５ＬＲから入力されてくる光信号のいずれか一方を選択的に出力するプロテクション処理部として機能するものである。
【００６５】
また、第１光／電気変換部６２は、光スイッチ６１からの光信号を電気信号に変換するものであり、ドロップ用電気信号生成部６３は、第１光／電気変換部６２からの電気信号から、ドロップ用電気信号を生成するものであり、第１電気／光変換部６４は、ドロップ用電気信号生成部６３で生成されたドロップ用電気信号についてドロップ用光信号に変換するものである。
【００６６】
さらに、第２光／電気変換部６５は、折り返し分岐部１３Ｂｃで後述のごとく折り返されたドロップ用光信号を電気信号に変換するものであり、再生中継用電気信号生成部６６は、第２光／電気変換部６５からの電気信号から再生中継のための電気信号を生成するものであり、第２電気／光変換部６７は、再生中継用電気信号生成部６６からの再生中継用電気信号を再生中継用光信号に変換するものである。
【００６７】
さらに、折り返し分岐部１３Ｂｃは、第１電気／光変換部６４からのドロップ用光信号の一部を分岐して折り返すものであって、例えばカプラ等により構成することができる。具体的には、折り返し処理部１３Ｂｃにおいては、第１電気／光変換部６４からのドロップ用光信号を２分岐し、一方をデータ受信部１３ｄへ出力するとともに、他方を再生中継のために第２光／電気変換部６５へ出力するようになっている。
【００６８】
したがって、上述の第１光／電気変換部６２，ドロップ用電気信号生成部６３，第１電気／光変換部６４，第２光／電気変換部６５，再生中継用電気信号生成部６６，第２電気／光変換部６７および折り返し分岐部１３Ｂｃにより、光スイッチ６１から出力された光信号をもとに、ドロップ用光信号とともに、再生処理がなされた再生中継用光信号を生成する光信号生成部を構成する。
【００６９】
また、分岐部６８は、第２電気／光変換部６７で生成された再生中継用光信号を、右回り伝送路１５ＲＲおよび左回り伝送路１５ＬＲへそれぞれ送出するために２分岐するものであり、例えばカプラにより構成することができる。即ち、分岐部６８で２分岐された一方の再生中継用光信号は、ＷＤＭ部１３ａを通じて右回り伝送路１５ＲＲへ、他方の再生中継用光信号については、ＷＤＭ部１３ａを通じて左回り伝送路１５ＬＲへ、それぞれ伝送される。このとき、ＷＤＭ部１３ａにおいては、他の波長チャンネルの信号とともに波長多重光信号として伝送することになる。
【００７０】
なお、図４中において、受信中継局１２Ｂは、左回り伝送路１５ＬＲにおける末端の受信中継局であり、トランスポンダ部１２Ｂｂとしては、上述の分岐部６８をそなえずに、再生中継用光信号について右回り伝送路１５ＲＲ側のみへ送出するように構成することができる。又、受信中継局１４Ｂは、右回り伝送路１５ＲＲにおける末端の受信中継局であり、トランスポンダ部１４Ｂｂとしては、上述の分岐部６８をそなえずに、再生中継用光信号について左回り伝送路１５ＬＲ側のみへ送出するように構成することができる。
【００７１】
さらに、フォトダイオード６９−１は、ＷＤＭ部１３ａからの右回り伝送路１５ＲＲを通じて伝送されてきた光信号を電気信号に変換するものであり、変換結果となる電気信号は制御部１３Ｂｅに出力される。又、フォトダイオード６９−２は、ＷＤＭ部１３ａからの左回り伝送路１５ＬＲを通じて伝送されてきた光信号を電気信号に変換するものであり、変換結果となる電気信号は制御部１３Ｂｅに出力される。
【００７２】
さらに、制御信号処理系５０−２は、ＯＵＰＳＲネットワーク１０Ｂにおける制御チャンネル波長を通じて伝送される監視・制御信号についての処理、具体的には信号配信局１１および受信中継局１２Ｂ〜１４Ｂ間でやりとりされる制御信号や監視信号についての信号処理を行なうものであって、ＯＳＣユニット５３−１，５３−２，制御部１３Ｂｅおよびデータベース１３Ｂｆをそなえて構成されている。
【００７３】
ＯＳＣ（Optical Supervisor Channel）ユニット５３−１，５３−２はそれぞれ、ＯＳＣ光／電気変換部（OSC O/E）７１−１，７１−２をそなえるとともに、ＯＳＣ電気／光変換部（OSC E/O）７２−１，７２−２をそなえて構成されている。
ここで、ＯＳＣユニット５３−１のＯＳＣ光／電気変換部（OSC O/E）７１−１は、右回り伝送路１５ＲＲを通じて伝送されてきた光信号について分岐部５１ＲＲを通じて入力され、この入力された光信号から、制御チャンネルの波長で変調された監視／制御光信号を電気信号で取り出し、制御部１３Ｂｅに出力するものである。又、ＯＳＣユニット５３−１のＯＳＣ光／電気変換部（OSC E/O）７２−１は、制御部１３Ｂｅからの監視／制御用電気信号について制御チャンネルの波長を有する監視／制御光信号に変換（変調）して、左回り伝送路１５ＬＲを通じて送出するものである。
【００７４】
同様に、ＯＳＣユニット５３−２のＯＳＣ光／電気変換部（OSC O/E）７１−２は、左回り伝送路１５ＬＲを通じて伝送されてきた光信号について分岐部５１ＬＲを通じて入力され、この入力された光信号から、制御チャンネルの波長成分で変調された監視／制御光信号を電気信号で取り出し、制御部１３Ｂｅに出力するものである。又、ＯＳＣユニット５３−２のＯＳＣ電気／光変換部（OSC E/O）７２−２は、制御部１３Ｂｅからの監視／制御用電気信号について制御チャンネルの波長を有する監視／制御光信号に変換（変調）して、右回り伝送路１５ＲＲを通じて送出するものである。
【００７５】
また、制御部１３Ｂｅは、トランスポンダ部１３Ｂｂのフォトダイオード６９−１，６９−２からの信号をもとに、右回り伝送路１５ＲＲ，左回り伝送路１５ＬＲを通じて伝送されてきた信号についての信号レベルを判定し、比較的品質の良好な側の信号をプロテクション処理として光スイッチ６１で選択的に出力すべく、光スイッチ６１を切り替え制御するものである。
【００７６】
さらに、この制御部１３Ｂｅは、ＯＳＣユニット５３−１，５３−２を通じて他の受信中継局１２Ｂ，１４Ｂにおける光スイッチ６１相当機能における切り替え制御状態を監視しておき、データベース１３Ｂｆと協働して後述する無限ループ状態となることを回避しうる機能をそなえて構成されている。
図６は、前述の無限ループとなる例について説明するための図である。この図６においては、無限ループに陥る例として、互いに隣接する受信中継局１２Ｂおよび受信中継局１３Ｂの主信号ルートＩＲを太線で示している。尚、受信中継局１２Ｂの受信中継局１３Ｂに相当する機能部には、ダッシュ符号（′）を追加して示している。
【００７７】
この図６の太線の経路ＩＲに示すように、受信中継局１２Ｂ〜１４Ｄにおける光スイッチ（受信中継局１３Ｂの場合は図５の符号６１、以下同様）における切り替え状態（スイッチの向き）によっては、受信中継局１２Ｂ〜１４Ｂ間で信号が無限ループに陥ってしまう場合がある。
すなわち、隣接する受信中継局である受信中継局１２Ｂ，１３Ｂの光スイッチ６１′，６１が、カタカナの”ハ”の字を描くように向いている。換言すれば、互いに相手側からの光信号を選択するようにスイッチ６１−１２，６１−１３の設定がなされている。このような場合は、これらの受信中継局１２Ｂ，１３Ｂ間を伝送している信号は信号源を失い、エラーすることとなる。
【００７８】
つまり、図６に示す受信中継局１３Ｂの場合においては、入力信号は受信中継局１２Ｂから来た信号および受信中継局１４Ｂから来た信号であり、これらの信号のうち、スイッチ６１−１３で選択された信号のみがクライアント側であるデータ受信部１３ｄに出力される。折り返し分岐部１３Ｂｃにより、同一の信号がデータ受信部１２ｄに出力されるとともにトランスポンダ部１３Ｂｂに戻される。トランスポンダ部１３Ｂｂに戻った信号は分岐部６８−１で２つに分けられて、同一信号が受信中継局１２Ｂと受信中継局１４Ｂとに送信される。
【００７９】
ここで、受信中継局１２Ｂに送信された信号に着目すると、この受信中継局１２Ｂでは、上述の受信中継局１３Ｂで行なわれた動作と同様にして、信号配信局１１と受信中継局１３とに伝送される。ここで、受信中継局１２Ｂにおいて、信号配信局１１側ではなく受信中継局１３Ｂ側から送られてきた信号をスイッチ６１′が選択することとなると、図６中で太線が示すように信号源がなくなるのである。
【００８０】
したがって、信号配信局１１から送信された信号を、右回り伝送路１５ＲＲを辿って信号配信局１１−受信中継局１２Ｂ−受信中継局１３Ｂ−受信中継局１４Ｂの経路と、左回り伝送路１５ＬＲを辿って、信号配信局１１−受信中継局１４Ｂ−受信中継局１３Ｂ−受信中継局１２Ｂの経路と、で伝送させるためには、全てのドロップ局である受信中継局１２Ｂ〜１４Ｂにおいて、隣接する局間で光スイッチ（６１）の切り替え状態が、互いの受信中継局からの信号を選択しあわないように（同一方向を向くようにそろえる）制御する機能をそなえる必要がある。
【００８１】
このため、本発明の中継伝送装置としての受信中継局１２Ｂ〜１４Ｂにおいては、次のような光スイッチ（６１）の切り替え状態をそろえるように制御するための構成をそなえている。
たとえば、受信中継局１３Ｂに着目すると、制御部１３Ｂｅに、互いに異なる方向の伝送路１５ＲＲ，１５ＬＲを通じて伝送されてきた光信号のうちのいずれか一方を、受信信号品質をもとにして選択制御する通常のプロテクション制御機能部７３とともに、ＯＵＰＳＲネットワーク１０Ｂにおいて無限ループ状態となることを回避するための制御を行なう無限ループ回避制御機能部７４をそなえて構成されている。
【００８２】
さらに、データベース１３Ｂｆは、制御部１３Ｂｅにおける制御を行なうための制御情報等を保持しておくものであって、右回り伝送路１５ＲＲから入力されてくる光信号の経路情報を管理する第１テーブル７５と、左回り伝送路１５ＬＲから入力されてくる光信号の経路情報を管理する第２テーブル７６とを、波長チャンネルごとにそなえている。尚、これらの第１および第２テーブル７５，７６としては、例えば図７に示すように、当該波長チャンネルの送信元局情報とともに、当該波長チャンネルの信号が経由した局について「１」を、経由しない局について「０」を、それぞれ書き込むことができるような構成を有している。図７に示す第１テーブル７５（第２テーブル７６）においては、信号配信局１１について「１」が、受信中継局１２〜１４について「０」が、それぞれ書き込まれている。
【００８３】
上述の制御部１３Ｂｅにおいては、第１および第２テーブル７５，７６で管理されている経路情報と、右回り伝送路１５ＲＲおよび左回り伝送路１５ＬＲから入力されてくる光信号についての劣化度合いとに応じて、スイッチ６１を制御するようにして、後述する無限ループを回避しながら、ＯＵＰＳＲによるプロテクション動作を実現している。
上述の構成による、本発明の第２実施形態にかかる受信中継局（中継伝送装置）１２Ｂ〜１４Ｂが適用されたＯＵＰＳＲネットワーク１０Ｂの動作について、以下に説明する。
【００８４】
まず、信号配信局１１においては、受信中継局１２Ｂ〜１４Ｂに対して信号（大容量データ等）を配信する。このとき、信号配信局１１から各受信中継局１２〜１４に対して配信すべき大容量データをなす信号は、右回り伝送路１５ＲＲおよび左回り伝送路１５ＬＲの双方向に送信される。そして、各受信中継局１２Ｂ〜１４Ｂで信号をドロップ・アンド・コンティニューさせる。
【００８５】
すなわち、信号配信局１１を起点として右回り伝送路１５ＲＲを辿り、受信中継局１２Ｂ−受信中継局１３Ｂ−受信中継局１４Ｂという順番で信号が伝送される経路（右回り経路）では、中継局としての受信中継局１２Ｂ，１３Ｂで信号についてドロップ・アンド・コンティニュー処理を行なう一方、末端局である受信中継局１４Ｂはドロップする。このとき、コンティニューする信号については信号再生処理を行なっている。
【００８６】
また、信号配信局１１を起点として左回り伝送路１５ＬＲを辿り、受信中継局１４Ｂ−受信中継局１３Ｂ−受信中継局１２Ｂという順番で信号が伝送される経路（左回り経路）では、中継局としての受信中継局１４Ｂ，１３Ｂでドロップ・アンド・コンティニュー処理を行なう一方、末端局である受信中継局１２Ｂでドロップする。このとき、コンティニューする信号については信号再生処理を行なっている。
【００８７】
たとえば、中継局としての受信中継局１３Ｂにおいてのドロップ・アンド・コンティニュー処理としては次のようになる。つまり、右回り経路および左回り経路の双方向からの入力信号をトランスポンダ部１３Ｂｂの光スイッチ６１で選択的に出力する。そして、出力した信号について折り返し分岐部１３Ｂｃで２分岐して一方をドロップする。
折り返し分岐部１３Ｂｃで分かれた他方の信号は、再度トランスポンダ部１３Ｂｂに戻される。トランスポンダ部１３Ｂｂにおいては、折り返し分岐部１３Ｂｃで折り返された信号を用いて再生中継処理を行なったのちに、分岐部６８により２つに分けられて同一信号が右回りと左回りの双方向の伝送路１５ＲＲ，１５ＬＲへと送出する（コンティニュー処理）。即ち、光スイッチ６１で選択した側の信号についてドロップするとともに、再生中継処理を行なって受信中継局１４Ｂおよび受信中継局１２Ｂの双方へ伝送する。
【００８８】
また、無限ループを防止するために、各受信中継局１２Ｂ〜１４Ｂにおいては、以下に示すような制御がなされている。
つまり、ネットワーク運用開始時点において、各受信中継局１２Ｂ〜１４Ｂにおけるトランスポンダ部１２Ｂｂ〜１４Ｂｂの光スイッチ（６１）の向きを同一方向より（右回り又は左回り）の信号選択方向にあわせておく。信号配信局１１等に、トリガ信号を出すコマンドを入力し、ＯＳＣチャンネル経由でトリガ信号を送出する。
【００８９】
たとえば、図４中右回り伝送路１５ＲＲを辿る方向には「１」を、左回り伝送路１５ＬＲを辿る方向には「０」を送出する。各受信中継局１２Ｂ〜１４Ｂにおいては、制御部（１３Ｂｅ）による制御を通じて、光スイッチ（６１）が、上述のトリガ信号として「１」を受け取った方向を向かせておく。これにより、全ての受信中継局１２Ｂ〜１４Ｂにおいて光スイッチ（６１）の切り替え状態を揃えるようにしている。
【００９０】
また、制御部（１３Ｂｅ）の無限ループ回避制御機能部（７４）においては、上述の信号配信局１１からのトリガ信号を（ＯＳＣチャンネルを通じて）受信したり、伝送路１５ＲＲ，１５ＬＲをなす光ファイバが断となった時に観測されるＬＯＳ(Loss of Signal)等の信号劣化の検出信号を（ＯＳＣチャンネルを通じて）受信したり、プロテクションのためのスイッチ制御が行なわれた旨をプロテクション制御機能部（７３）から受けたりすることをトリガとし、テーブル（７５，７６）の内容を初期化／更新する。
【００９１】
すなわち、各受信中継局１２Ｂ〜１４Ｂの制御部（１３Ｂｅ）においては、右回り伝送路１５ＲＲを辿って受信した信号の経由局情報を管理する第１テーブル（７５）を初期化／更新し、左回り伝送路１５ＲＲを辿って受信した信号の経由局情報を管理する第２テーブル（７６）の内容を初期化／更新する。
たとえば、図４に示すように、各受信中継局１２Ｂ〜１４Ｂの光スイッチ６１が、右回り経路の方向（信号配信局１１−受信局１２Ｂ−受信局１３Ｂ−受信局１４Ｂの順で伝送される方向）にそろっている場合において、信号配信局１１から送信されたチャンネル♯１の信号が受信中継局１２Ｂに入力する場合を例にすると、信号配信局１１から受信中継局１２Ｂに、「チャンネル♯１の送信元局であるヘッド・エンド（Head End）は信号配信局１１であり、経由局として信号配信局１１の項を「１」とする」旨がＯＳＣチャンネルを通じて伝えられる。
【００９２】
これにより、図８（ｂ）に示すように、受信中継局１２Ｂのテーブル７５に、ヘッド・エンドの項に「信号配信局１１」と、経由局の項として受信中継局１２Ｂの項に「１」を登録する。尚、この時点において、信号配信局１１には当該波長チャンネル♯１の信号は入力されていないため、テーブル７５，７６の内容は図８（ａ）に示すように全て「０」とする。
【００９３】
また、受信中継局１２Ｂから受信中継局１３Ｂに伝送されるＯＳＣチャンネルには、受信中継局１２Ｂから受信中継局１３Ｂに伝送されるチャンネル♯１の信号は信号配信局１１から来た信号なので、信号配信局１１から受信中継局１２Ｂに伝送されたＯＳＣチャンネルの情報に、チャンネル♯１の信号が受信中継局１２Ｂも経由した信号である旨（経由局として受信中継局１２Ｂの項を「1」とする内容）を加えて伝送する。これにより、受信中継局１３Ｂのテーブル７５の内容は、図８（ｃ）に示すように更新される。
【００９４】
さらに、受信中継局１３Ｂにおいては、上述の受信中継局１２Ｂからの信号を右回り伝送路１５ＲＲおよび左回り伝送路１５ＬＲに送出するので、これを受けた受信中継局１４Ｂでは、テーブル７５を図８（ｄ）に示すように更新し、受信中継局１２Ｂでは、テーブル７６を図８（ｅ）に示すように更新する。以下、同様にして、受信中継局１３Ｂではテーブル７６を図８（ｆ）に示すように更新し、受信中継局１４Ｂではテーブル７６を図８（ｇ）に示すように更新する。
【００９５】
こうして出来上がった信号配信局１１および各受信中継局１２Ｂ〜１４Ｂのテーブル７５、７６により、信号配信局１１を含む受信中継局１２Ｂ〜１４Ｂのテーブル７５，７６において、自身の経由局情報の項としてビットが立っている（「１」となっている）場合には、その方向からの入力信号はすでに自局を経由したものであって、ループされて戻ってきた信号であるため、無限ループを回避するために光スイッチ６１では選択を避けるべき信号であるということが分かる。
【００９６】
上述の図４に示すように、各受信中継局１２Ｂ〜１４Ｂの光スイッチ６１の方向が全てそろっている状態で、図９に示すように、ＯＵＰＳＲネットワーク１０Ｂをなす受信中継局１２Ｂおよび受信中継局１３Ｂ間で伝送路障害ＣＦが発生した場合、即ち、受信中継局１２Ｂおよび受信中継局１３ＢでＬＯＳを検出した場合は、受信中継局１２Ｂではスイッチは信号配信局１１側を向いているため信号のプロテクション動作を行なう必要がないが、受信中継局１３Ｂではプロテクションのため光スイッチ６１を切り替え動作させる必要がある。
【００９７】
このとき、受信中継局１３Ｂでテーブル７６の経由局として自身の局の項が「１」となっており〔図８（ｆ）参照〕、プロテクションのため光スイッチ６１を作動してしまうと、受信中継局１３Ｂと受信中継局１４Ｂ間で前述の図６の場合と同様の無限ループが生じることとなる。そこで、受信中継局１３Ｂの制御部１３ＢｅでＬＯＳを検出した場合、無限ループ回避制御機能部７４により、プロテクションスイッチ可能な受信中継局までＯＳＣチャンネルを使用して切り替えが必要であることを通知していく。
【００９８】
この図９の場合においては、受信中継局１４Ｂのテーブル７６においては自身の局の項が「０」となっており、受信中継局１４Ｂの光スイッチ６１においてはプロテクションのための光スイッチ切り替えが可能である（図８（ｇ）参照）。従って、受信中継局１４Ｂまで上述の切り替えが必要である旨の通知がなされ、この受信中継局１４Ｂでは、当該受信中継局の制御部（１３Ｂｅ）での制御を通じてプロテクションのための光スイッチ６１の切り替えが行なわれる。
【００９９】
このとき、受信中継局１４Ｂにおいて、プロテクションのためのスイッチングがなされると、受信中継局１４Ｂから受信中継局１３Ｂへ伝送するＯＳＣチャンネルを通じて、テーブル更新の情報が伝えられる。これにより、受信中継局１３Ｂのテーブル７６で自身の局１３Ｂの項が「０」となるので、プロテクションスイッチ可能となり、制御部１３Ｂｅの制御により光スイッチ６１がプロテクションのためにスイッチングされる。
【０１００】
図１０（ａ）は、当該波長チャンネルにおいて、上述の障害ＣＦが発生してからの信号配信局１１でのテーブル７５，７６の設定状態を示すものである。同様に、図１０（ｂ）は受信中継局１２Ｂのテーブル７５の設定状態を、図１０（ｃ）は受信中継局１３Ｂのテーブル７５の設定状態を、図１０（ｄ）は受信中継局１４Ｂのテーブル７５の設定状態を、図１０（ｅ）は受信中継局１２Ｂのテーブル７６の設定状態を、図１０（ｆ）は受信中継局１３Ｂのテーブル７６の設定状態を、図１０（ｇ）は受信中継局１４Ｂのテーブル７６の設定状態を、それぞれ示すものである。
【０１０１】
これにより、受信中継局１２Ｂ〜１４Ｂ間においては、ＯＳＣチャンネルを通じて右回り伝送路１５ＲＲおよび左回り伝送路１５ＬＲを辿って受信した信号の経由局を伝達することで、各受信中継局１２Ｂ〜１４Ｂそれぞれ第１テーブル７５，第２テーブル７６で管理することができるので、各局１２Ｂ〜１４Ｂにおいては、光スイッチ６１相当部における切り替え状態をそろえることができ、前述のごとき無限ループの発生を防止することができる。
【０１０２】
このように、本発明の第２実施形態によれば、プロテクション処理部としての光スイッチ６１と、光信号生成部としての機能部６２〜６４，６５〜６７により、２つの経路の伝送路１５ＲＲ，１５ＬＲを通じて光伝送された信号についてプロテクション処理によっていずれか一方を選択してから、ドロップ信号および再生処理された再生中継用光信号を生成することができるので、前述の第１実施形態の場合と同様、ＯＵＰＳＲネットワーク１０Ｂにおいて、信号が辿ってきた伝送距離によるＯＳＮＲの値のバラツキを抑制することにより、ＯＵＰＳＲによるプロテクション機能の実効性を向上させることができる利点がある。
【０１０３】
また、各受信中継局１２Ｂ〜１４Ｂにおいて信号を再生中継することができるので、伝送可能なリング長がより長くさせることができ、構築しうるネットワーク規模を大きくさせることができるほか、トランスポンダ部１３Ｂｂとしては単一のトランスポンダ部で足りるため、装置の部品点数を削減し、装置製造コストを大幅に削減させることができる利点もある。
【０１０４】
なお、上述の折り返し分岐部１３Ｂｃは、トランスポンダ部１３Ｂｂとは独立してそなえられるようにしているが、本発明によれば、トランスポンダ部１３Ｂｂのパッケージ内にそなえるように構成することとしてもよく、このようにすれば、装置内のパッケージ点数を削減でき、装置構成を簡素化させることができるほか、光学的接続箇所を削減できるので、部品的な障害を軽減させることもできる。
【０１０５】
また、上述の第２実施形態における光信号生成部としては、第１光／電気変換部６２，ドロップ用電気信号生成部６３，第１電気／光変換部６４，第２光／電気変換部６５，再生中継用電気信号生成部６６，第２電気／光変換部６７および折り返し分岐部１３Ｂｃにより構成されているが、本発明によればこれに限定されず、例えば前述の文献「尾中寛他，超高速フォトニックスネットワーク，FUJITSU vol.54，No.4 pp.314〜322(2003.7)」に記載されているような３Ｒ再生器により構成することとしてもよい。更には、第１光／電気変換部６２，ドロップ用電気信号生成部６３，第１電気／光変換部６４を一つの３Ｒ再生器により構成したり、第２光／電気変換部６５，再生中継用電気信号生成部６６および第２電気／光変換部６７を一つの３Ｒ再生器により構成したりすることもできる。
【０１０６】
〔Ｂ１〕第２実施形態の変形例の説明
上述の第２実施形態にかかる受信中継局１３Ｂにおいては、折り返し分岐部１３Ｂｃをそなえることにより、ドロップ信号とコンティニュー信号とを分岐するようになっているが、本発明によれば、第１光／電気変換部６２からの電気信号から、ドロップ用電気信号と再生中継のための電気信号を生成する機能を持つ電気段処理部をそなえることとしてもよい。このようにすれば、クライアント側となる第２光／電気変換部６５について省略することができ、上述の第２実施形態の場合よりも部品点数を削減させることができる。
【０１０７】
たとえば、図１１に示すトランスポンダ部１３Ｂｂ−１のように、ディジタルラッパ（ＤＷ）６３ａおよびＳＯＮＥＴ（Synchronous Optical NETwork）フレーマ６３ｂ，６６ａおよびディジタルラッパ６６ｂにより、上述のごとき電気段処理部（ドロップ／再生中継用電気信号生成部）７７−１を構成することができる。尚、この場合においては、ディジタルラッパ（ＤＷ）６３ａおよびＳＯＮＥＴフレーマ６３ｂによりドロップ用電気信号を生成する。又、ＳＯＮＥＴフレーマ６３ｂからの信号をＳＯＮＥＴフレーマ６６ａにループバックして渡すことにより、このＳＯＮＥＴフレーマ６６ａとともにディジタルラッパ６６ｂで再生中継用電気信号を生成することができる。このようにすれば、上述の部品点数を削減できるほか、経路の品質確認および障害発生時に、障害発生箇所の切り分けをＳＯＮＥＴレイヤで実現することができる。
【０１０８】
また、図１２に示すトランスポンダ部１３Ｂｂ−２のように、ディジタルラッパ（ＤＷ）６３ａおよびＳＯＮＥＴ（Synchronous Optical NETwork）フレーマ６３ｂおよびディジタルラッパ６６ｂにより、上述のごとき電気段処理部（ドロップ／再生中継用電気信号生成部）７７−２を構成することができる。尚、この場合においては、ディジタルラッパ（ＤＷ）６３ａおよびＳＯＮＥＴフレーマ６３ｂによりドロップ用電気信号を生成する。又、ディジタルラッパ６３ａからの信号をディジタルラッパ６６ｂにループバックして渡すことにより、このディジタルラッパ６６ｂで再生中継用電気信号を生成することができる。このようにすれば、上述の部品点数を削減できるほか、経路の品質確認および障害発生時に、障害発生箇所の切り分けをディジタルラッパのレイヤで実現することができる。
【０１０９】
さらに、図１３に示すトランスポンダ部１３Ｂｂ−３のように、ディジタルラッパ（ＤＷ）６３ａおよびＳＯＮＥＴフレーマ６３ｂ，６６ａおよびディジタルラッパ６６ｂにより、上述のごとき電気段処理部（ドロップ／再生中継用電気信号生成部）７７−３を構成することができる。尚、この場合においては、ディジタルラッパ（ＤＷ）６３ａおよびＳＯＮＥＴフレーマ６３ｂによりドロップ用電気信号を生成する。又、ディジタルラッパ６３ａおよびＳＯＮＥＴフレーマ６３ｂからの信号をそれぞれディジタルラッパ６６ｂおよびＳＯＮＥＴフレーマ６６ａにループバックして渡すことにより、ＳＯＮＥＴフレーマ６６ａおよびディジタルラッパ６６ｂが協働することにより再生中継用電気信号を生成することができる。このようにすれば、上述の部品点数を削減できるほか、経路の品質確認および障害発生時に、障害発生箇所の切り分けをディジタルラッパおよびＳＯＮＥＴのレイヤで実現することができる。
【０１１０】
また、図１４に示すトランスポンダ部１３Ｂｂ−４のように、ディジタルラッパ（ＤＷ）６３ａおよびＳＯＮＥＴフレーマ７８およびディジタルラッパ６６ｂにより、上述のごとき電気段処理部（ドロップ／再生中継用電気信号生成部）７７−４を構成することができる。尚、この場合においては、ＳＯＮＥＴフレーマ７８において、ディジタルラッパ６３ａからの信号をもとにドロップ用電気信号を生成する一方、ディジタルラッパ６６ｂと協働して再生中継用電気信号を生成することができる。
【０１１１】
また、図１５に示すトランスポンダ部１３Ｂｂ−５のように、ディジタルラッパ（ＤＷ）７９およびＳＯＮＥＴフレーマ６３ｂ，６６ａにより、上述のごとき電気段処理部（ドロップ／再生中継用電気信号生成部）７７−５を構成することができる。尚、この場合においては、ディジタルラッパ７９において、ＳＯＮＥＴフレーマ６３ｂと協働してドロップ用電気信号を生成する一方、第１光／電気変換部６２からの信号をもとに再生中継用電気信号を生成することができる。
【０１１２】
上述の図１４や図１５に示すようにトランスポンダ部１３Ｂｂ−４，１３Ｂｂ−５を構成すれば、ドロップ・アンド・コンティニューのための専用のトランスポンダ部を構成する必要がなくなり、アド・ドロップ機能を有するトランスポンダとしても利用することができる。そして、上り（アド）および下り（ドロップ）で異なる信号が通っている動作状態と、ドロップ・アンド・コンティニューで動作する状態とで、運用中（インサービス中）において切り替えることもできる。
【０１１３】
〔Ｃ〕その他
本発明によれば、上述した各実施形態による実施態様にかかわらず、本発明の趣旨を逸脱しない範囲で種々変形して実施することが可能である。
たとえば、上述の図１１〜図１３に示す電気段処理部７７−１〜７７−３に準じて、前述の図３に示す受信中継局１３Ａの電気段処理部２２Ａ，３２Ａを構成することとしてもよいし、図１４，図１５に示す電気段処理部７７−４，７７−５に準じて、前述の図２に示す受信中継局１３のドロップ用電気信号生成部２２，３２，再生中継用電気信号生成部２５，３５を構成することとしてもよい。
【０１１４】
また、上述した実施形態により、本発明の装置を製造することは可能である。
〔Ｄ〕付記
（付記１）  互いに異なる２つの経路の伝送路を通じて光伝送されてきた信号のいずれかを受信信号として選択する機能をそなえた中継伝送装置であって、
第１の伝送方向の伝送路から入力されてくる光信号について再生中継を行なう第１再生中継部と、
第２の伝送方向の伝送路から入力されてくる光信号について再生中継を行なう第２再生中継部と、
上記の第１および第２再生中継部からの信号成分をそれぞれ取り出して、取り出された信号成分のいずれか一方をドロップ信号として選択的に出力するプロテクション処理部とをそなえて構成されたことを特徴とする、中継伝送装置。
【０１１５】
（付記２）  該第１，第２再生中継部が、それぞれ、上記第１，第２の伝送方向の伝送路からの光信号をもとにドロップ用の光信号を生成するドロップ用光信号生成部と、該ドロップ用光信号生成部からのドロップ用光信号を中継用に一部を分岐して折り返す折り返し分岐部と、該折り返し分岐部で折り返されたドロップ用光信号をもとに上記再生中継を行なうための光信号を生成する再生中継用光信号生成部と、をそなえ、
かつ、該プロテクション処理部が、上記の第１および第２再生中継部におけるドロップ用光信号生成部からのドロップ用の光信号をそれぞれ取り出す第１および第２光信号成分取出部と、該第１および第２光信号成分取出部で取り出された光信号成分のいずれか一方をドロップ信号として選択する光信号選択スイッチとをそなえて構成されたことを特徴とする、付記１記載の中継伝送装置。
【０１１６】
（付記３）  該第１，第２再生中継部の該ドロップ用光信号生成部がそれぞれ、上記第１，第２の伝送方向の伝送路からの光信号を電気信号に変換する第１光／電気変換部と、該第１光／電気変換部で変換された電気信号からドロップ用電気信号を生成するドロップ用電気信号生成部と、該ドロップ用電気信号生成部にて生成されたドロップ用電気信号を上記ドロップ用光信号に変換する第１電気／光変換部とをそなえて構成され、
該第１，第２再生中継部の該再生中継用光信号生成部が、該折り返し分岐部で折り返されたドロップ用光信号を電気信号に変換する第２光／電気変換部と、該第２光／電気変換部で変換された電気信号から上記再生中継のための電気信号を生成する再生中継用電気信号生成部と、上記再生中継用電気信号を上記再生中継を行なうための光信号に変換する第２電気／光変換部と、をそなえて構成されたことを特徴とする、付記２記載の中継伝送装置。
【０１１７】
（付記４）  上記の第１再生中継部の折り返し用分岐部が、上記のプロテクション処理部の第１光信号取出部と共用するとともに、上記の第２再生中継部の折り返し用分岐部が、上記のプロテクション処理部の第２光信号取出部と共用することを特徴とする、付記２記載の中継伝送装置。
（付記５）  該第１，第２再生中継部が、それぞれ、上記第１，第２の伝送方向の伝送路からの光信号を電気信号に変換する光／電気変換部と、該光／電気変換部で変換された電気信号から、ドロップ用電気信号および上記再生中継を行なうための電気信号を生成する電気段処理部と、該電気段処理部からの上記再生中継を行なうための電気信号を上記再生中継を行なうための光信号に変換する第１電気／光変換部と、をそなえるとともに、
該プロテクション処理部が、上記の第１および第２再生中継部における電気段処理部から上記ドロップ用電気信号をそれぞれ入力されて、上記入力されたドロップ用電気信号のいずれか一方をドロップ信号として選択的に出力する電気信号選択スイッチと、該電気信号選択スイッチから出力された電気信号をドロップ用光信号に変換する第２電気／光変換部と、をそなえて構成されたことを特徴とする、付記１記載の中継伝送装置。
【０１１８】
（付記６）  上記の第１又は第２の伝送方向の伝送路から入力されてくる光信号についての劣化度合いに応じて、上記の第１および第２再生中継部からの信号成分のいずれか一方をドロップ信号として選択的に出力すべく、該プロテクション処理部を制御する制御部をそなえて構成されたことを特徴とする、付記１記載の中継伝送装置。
（付記７）  互いに異なる２つの経路の伝送路を通じて光伝送されてきた信号のいずれかを受信信号として選択する機能をそなえた中継伝送装置であって、
第１の伝送方向の伝送路から入力されてくる光信号と、第２の伝送方向の伝送路から入力されてくる光信号のいずれか一方を選択的に出力するプロテクション処理部と、
該プロテクション処理部から出力された光信号をもとに、ドロップ用光信号とともに、再生処理がなされた再生中継用光信号を生成する光信号生成部と、
該再生中継用光信号生成部で生成された上記再生中継用光信号を、上記の第１および第２の伝送方向の伝送路へそれぞれ送出するために２分岐する分岐部と、をそなえて構成されたことを特徴とする、中継伝送装置。
【０１１９】
（付記８）  該光信号生成部が、
該プロテクション処理部からの光信号を電気信号に変換する第１光／電気変換部と、
該第１光／電気変換部からの電気信号から、上記ドロップ用電気信号を生成するドロップ用電気信号生成部と、
該ドロップ用電気信号生成部で生成された上記ドロップ用電気信号について上記ドロップ用光信号に変換する第１電気／光変換部と、
該第１電気／光変換部からの上記ドロップ用光信号の一部を分岐して折り返す折り返し分岐部と、
該折り返し分岐部で折り返された上記ドロップ用光信号を電気信号に変換する第２光／電気変換部と、
該第２光／電気変換部からの電気信号から、上記再生中継のための電気信号を生成する再生中継用電気信号生成部と、
上記再生中継用電気信号を上記再生中継用光信号に変換する第２電気／光変換部と、をそなえて構成されたことを特徴とする、付記７記載の中継伝送装置。
【０１２０】
（付記９）  該光信号生成部が、
該プロテクション処理部からの光信号を電気信号に変換する第１光／電気変換部と、
該第１光／電気変換部からの電気信号から、上記ドロップ用電気信号と、上記再生中継のための電気信号を生成するドロップ／再生中継用電気信号生成部と、
上記ドロップ用電気信号について上記ドロップ用光信号に変換する第１電気／光変換部と、
上記再生中継用電気信号を上記再生中継用光信号に変換する第２電気／光変換部と、をそなえて構成されたことを特徴とする、付記７記載の中継伝送装置。
【０１２１】
（付記１０）  上記第１の伝送方向の伝送路から入力されてくる光信号の経路情報を管理する第１テーブルと、上記第２の伝送方向の伝送路から入力されてくる光信号の経路情報を管理する第２テーブルとをそなえるとともに、
上記の第１および第２テーブルで管理されている経路情報と、上記の第１又は第２の伝送方向の伝送路から入力されてくる光信号についての劣化度合いとに応じて、第１の伝送方向の伝送路から入力されてくる光信号と、第２の伝送方向の伝送路から入力されてくる光信号のいずれか一方を選択的に出力すべく、該プロテクション処理部を制御する制御部をそなえて構成されたことを特徴とする、付記７記載の中継伝送装置。
【図面の簡単な説明】
【０１２２】
【図１】本発明の第１実施形態にかかる中継伝送装置が適用されたＯＵＰＳＲネットワークについて示す図である。
【図２】本発明の第１実施形態にかかる中継伝送装置を示すブロック図である。
【図３】本発明の第１実施形態の変形例にかかる中継伝送装置を示すブロック図である。
【図４】本発明の第２実施形態にかかる中継伝送装置が適用されたＯＵＰＳＲネットワークについて示す図である。
【図５】本発明の第２実施形態にかかる中継伝送装置を示すブロック図である。
【図６】無限ループの発生について説明するための図である。
【図７】本発明の第２実施形態にかかる中継伝送装置の要部構成を示す図である。
【図８】（ａ）〜（ｇ）はいずれも本発明の第２実施形態にかかる中継伝送装置が適用されたＯＵＰＳＲネットワークの動作を説明するための図である。
【図９】本発明の第２実施形態にかかる中継伝送装置が適用されたＯＵＰＳＲネットワークの動作を説明するための図である。
【図１０】（ａ）〜（ｇ）はいずれも本発明の第２実施形態にかかる中継伝送装置が適用されたＯＵＰＳＲネットワークの動作を説明するための図である。
【図１１】本発明の第２実施形態にかかる中継伝送装置の変形例を示すブロック図である。
【図１２】本発明の第２実施形態にかかる中継伝送装置の変形例を示すブロック図である。
【図１３】本発明の第２実施形態にかかる中継伝送装置の変形例を示すブロック図である。
【図１４】本発明の第２実施形態にかかる中継伝送装置の変形例を示すブロック図である。
【図１５】本発明の第２実施形態にかかる中継伝送装置の変形例を示すブロック図である。
【図１６】従来例を示すブロック図である。
【符号の説明】
【０１２３】
１０，１０Ａ，１０Ｂ    ＯＵＰＳＲネットワーク
１１，１０１    信号配信局
１１ａ    データ生成部
１１ｂ〜１４ｂ，１３Ａｂ，１２Ｂｂ〜１４Ｂｂ，１３Ｂｂ−１〜１３Ｂｂ−５    トランスポンダ部
１１ｃ，１２ａ〜１４ａ    ＷＤＭ部
１２〜１４，１３Ａ，１２Ｂ〜１４Ｂ    受信中継局
１２Ｂｃ〜１４Ｂｃ，２７，３７    折り返し分岐部
１２ｃ〜１４ｃ，１３Ａｃ    プロテクション処理部
１２ｄ〜１４ｄ    データ受信部
１２ｅ〜１４ｅ    制御部
１３ｂ−１，１３Ａｂ−１    第１再生中継部
１３ｂ−２，１３Ａｂ−２    第２再生中継部
１３Ｂｆ    データベース
１５，１０５    伝送路
１５ＲＲ    右回り伝送路
１５ＬＲ    左回り伝送路
２１，３１，６２，６２′    第１光／電気変換部
２２，３２，６３，６３′    ドロップ用電気信号生成部
２２Ａ，３２Ａ    電気段処理部
２３，３３，６４，６４′    第１電気／光変換部
２４，３４，６５，６５′    第２光／電気変換部
２５，３５，６６，６６′    再生中継用電気信号生成部
２６，３６，４１，６７，６７′    第２電気／光変換部
２８，３８    ドロップ用光信号生成部
２９，３９    再生中継用光信号生成部
４０    光信号選択スイッチ
４０Ａ    電気信号選択スイッチ
５０−１    主信号処理系
５０−２    制御信号処理系
５１ＬＲ，５１ＲＲ    分岐部
５２ＬＲ，５２ＲＲ    合波部
５３−１，５３−２    ＯＳＣユニット
６１，６１′    光スイッチ
６３ａ，６６ｂ，７９    ディジタルラッパ
６３ｂ，６６ａ，７８    ＳＯＮＥＴフレーマ
６８，６８′    分岐部
６９−１，６９−２    フォトダイオード
７１−１，７１−２    ＯＳＣ光／電気変換部
７２−１，７２−２    ＯＳＣ電気／光変換部
７３    プロテクション制御機能部
７４    無限ループ回避制御機能部
７５    第１テーブル
７６    第２テーブル
７７−１〜７７−５    電気段処理部
１００    ネットワーク
１０１    信号配信局
１０１ａ    データ生成部
１０２〜１０４    受信局
１０１ｂ    トランスポンダ部
１０１ｃ，１０２ａ〜１０４ａ    ＷＤＭ部
１０２ｂ〜１０４ｂ    スイッチ部
１０２ｃ〜１０４ｃ    データ受信部
【図１】
2005286628.tif 000003
【図２】
2005286628.tif 000004
【図３】
2005286628.tif 000005
【図４】
2005286628.tif 000006
【図５】
2005286628.tif 000007
【図６】
2005286628.tif 000008
【図７】
2005286628.tif 000009
【図８】
2005286628.tif 000010
【図９】
2005286628.tif 000011
【図１０】
2005286628.tif 000012
【図１１】
2005286628.tif 000013
【図１２】
2005286628.tif 000014
【図１３】
2005286628.tif 000015
【図１４】
2005286628.tif 000016
【図１５】
2005286628.tif 000017
【図１６】
2005286628.tif 000018